(57)【要約】【課題】所望の効果を反映させる処理を、簡易な操作で実現することができるようにする。【解決手段】撮像部は、画像を撮像する。画像処理部は、撮像部による撮像中に指定された平面上の位置に応じたパラメータに基づいて、撮像部により撮像された画像に画像処理を施す。本技術は、撮影機能を有する機器に適用することができる。【選択図】図１０
2013243434.tif 000002
【特許請求の範囲】
【請求項１】
画像を撮像する撮像部と、
前記撮像部による撮像中に指定された平面上の位置に応じたパラメータに基づいて、前記撮像部により撮像された画像に画像処理を施す画像処理部と
を備える撮像装置。
【請求項２】
前記撮像部により撮像中の画像を表示する表示部と、
前記表示部に重ねて設けられ、前記平面上の位置を検出する検出部と
をさらに備える請求項１に記載の撮像装置。
【請求項３】
前記表示部は、前記画像処理が施された画像を前記撮像部による撮像中に表示する
請求項２に記載の撮像装置。
【請求項４】
前記画像処理部は、前記平面上の位置が前記撮像部による撮像中に移動した場合、移動後の前記平面上の位置に応じたパラメータに基づいて前記画像処理を施す
請求項１に記載の撮像装置。
【請求項５】
前記画像処理部により前記画像処理が施された画像を記録する記録部
をさらに備える請求項１に記載の撮像装置。
【請求項６】
前記表示部は、前記パラメータの種類を選択可能なボタンを表示する
請求項２に記載の撮像装置。
【請求項７】
画像を撮像し、
撮像中に指定された平面上の位置に応じたパラメータに基づいて、撮像された画像に画像処理を施す
ステップを含む撮像方法。
【請求項８】
画像を撮像し、
撮像中に指定された平面上の位置に応じたパラメータに基づいて、撮像された画像に画像処理を施す
ステップを含む処理をコンピュータに実行させるプログラム。
【発明の詳細な説明】
【技術分野】
【０００１】
本技術は、撮像装置及び方法、並びにプログラムに関し、特に、所望の効果を反映させる処理を、簡易な操作で実現することができる、撮像装置及び方法、並びにプログラムに関する。
【背景技術】
【０００２】
従来、動画像を大きく変化させる画像処理を実行可能な撮像装置が存在する。ユーザは、このような撮像装置を操作して、画像処理の効果を設定するための設定画面を表示させ、所望の画像処理の効果を設定してから撮像を開始させる。撮像装置は、撮像を開始すると、撮像された動画像を、設定された画像処理を施した上でメモリ等に記録させる。
【０００３】
また、撮像装置が撮像した動画像に対して、画像処理の効果を施す効果付与装置も存在する（例えば、特許文献１参照）。
【先行技術文献】
【特許文献】
【０００４】
【特許文献１】特開２０１０−１１８７３９号公報
【発明の概要】
【発明が解決しようとする課題】
【０００５】
しかしながら、従来の撮像装置では、画像処理の効果を変更するためには専用の設定画面を開いて設定値を選択する必要があるため、設定変更の即時性が低く、動画像撮像中に高い頻度で、かつタイミングよく効果の設定を変更する用途には不向きである。また、設定画面上で効果を選択する過程で、ユーザが意図しない効果が動画像に反映されてしまうおそれがある。
【０００６】
一方、特許文献１の効果付与装置は、撮像装置上で設定画面を開かなくても、効果付与装置に備えられている操作部材を使って画像処理の効果の設定が可能であるが、そもそも撮像装置と独立した装置であるため、光学機能、撮像機能、外部保存機能を有していない。したがって、効果付与装置では、動画像の撮像から記録までの間に、画像処理の効果を付与するといった一元的な処理の実行は困難である。
【０００７】
本技術は、このような状況に鑑みてなされたものであり、所望の効果を反映させる処理を、簡易な操作で実現することができるようにしたものである。
【課題を解決するための手段】
【０００８】
本技術の一側面の撮像装置は、画像を撮像する撮像部と、前記撮像部による撮像中に指定された平面上の位置に応じたパラメータに基づいて、前記撮像部により撮像された画像に画像処理を施す画像処理部とを備える。
【０００９】
前記撮像部により撮像中の画像を表示する表示部と、前記表示部に重ねて設けられ、前記平面上の位置を検出する検出部とをさらに設けることができる。
【００１０】
前記表示部は、前記画像処理が施された画像を前記撮像部による撮像中に表示することができる。
【００１１】
前記画像処理部は、前記平面上の位置が前記撮像部による撮像中に移動した場合、移動後の前記平面上の位置に応じたパラメータに基づいて前記画像処理を施すことができる。
【００１２】
前記画像処理部により前記画像処理が施された画像を記録する記録部をさらに設けることができる。
【００１３】
前記表示部は、前記パラメータの種類を選択可能なボタンを表示することができる。
【００１４】
本技術の一側面の撮像方法及びプログラムは、上述した本技術の一側面の撮像装置に対応する方法及びプログラムである。
【００１５】
本技術の一側面の撮像装置及び方法並びにプログラムにおいては、画像が撮像され、撮像中に指定された平面上の位置に応じたパラメータに基づいて、撮像された画像に画像処理が施される。
【発明の効果】
【００１６】
本技術によれば、所望の効果を反映させる処理を、簡易な操作で実現することができる。
【図面の簡単な説明】
【００１７】
【図１】デジタルカメラの正面図である。
【図２】デジタルカメラの背面図である。
【図３】デジタルカメラの側面図である。
【図４】デジタルカメラの他の側面図である。
【図５】GUI画面の例を示す図である。
【図６】画像処理の結果の例を示す図である。
【図７】GUI用の画面の他の例を示す図である。
【図８】画像処理の結果の他の例を示す図である。
【図９】デジタルカメラのハードウエアの構成例を示すブロック図である。
【図１０】CPU等の機能構成例を示すブロック図である。
【図１１】動画像撮影処理の一例を説明するフローチャートである。
【図１２】パラメータ選択ボタンの例を示す図である。
【図１３】本技術が適用される情報処理装置のハードウエアの構成例を示すブロック図である。
【発明を実施するための形態】
【００１８】
以下、本技術の実施の形態について図を参照して説明する。
【００１９】
[デジタルカメラの外観構成例]
図１乃至図３は、本技術の一実施形態に係るデジタルカメラ１の外観構成例を示す図である。具体的には、図１はデジタルカメラ１の正面図である。図２はデジタルカメラ１の背面図である。図３は、デジタルカメラ１の側面図である。
【００２０】
ここで、デジタルカメラ１の本体１１の面のうち、鏡筒（後述の撮像レンズ１５）が配置された面が図１の正面であり、正面と対向する面が図２の背面である。また、正面と背面とにそれぞれ略垂直な面が側面である。ただし、本明細書では説明の便宜上、撮影者がデジタルカメラ１を保持して被写体を撮影する場合において、上側に位置する面を特に上面と称し、下側に位置する面を特に下面と称し、それ以外の面、例えば図３に示す正面の左側側面を特に側面と称する。
【００２１】
また、位置関係を特定する場合には、撮影者がデジタルカメラ１を保持して被写体を撮影する状態を例にして説明する。すなわち、以下において、被写体から見た面が図１の正面となり、撮影者から見た面が図２の背面となる。
【００２２】
図１に示されるように、デジタルカメラ１の本体１１の上面には、左側にシャッタボタン１２（レリーズボタン１２とも称される）が設けられ、略中央に、電源切り替えボタン１３が設けられる。撮影者は、被写体の撮像及び記録の指示をする場合に、シャッタボタン１２を押下操作する。また、撮影者は、デジタルカメラ１の電源のオン状態とオフ状態とを切り替える指示をする場合に、電源切り替えボタン１３を押下操作する。
【００２３】
また、本体１１の正面において、上方の略中央にはフラッシュ照射部１４が設けられ、右側には撮像レンズ１５が設けられる。フラッシュ照射部１４は、必要に応じて、シャッタボタン１２の押下時等にフラッシュ光により被写体を照射する。撮像レンズ１５は、沈胴式のレンズとなっており、電源切り替えボタン１３の押下操作により電源がオン状態となり、撮影を行う撮影モードが選択されているときには、図３に示されるように、撮像レンズ１５は本体１１の表面から突出した状態になる。一方で、図示はしないが、電源がオフ状態となったり、電源がオン状態でも撮影モード以外の別モードになると、撮像レンズ１５は本体１１の表面から沈胴した状態になる。
【００２４】
図２に示されるように、本体１１の背面には、液晶ディスプレイパネル２１（以下、LCD(Liquid Crystal Display)パネル２１と称する）が設けられている。LCDパネル２１には、撮影中の動画像（ライブビュー画像を含む）、撮影済みの画像、各種のメニュー画面等が撮影者の操作に応じて表示される。LCDパネル２１には、後述するタッチパネル１３１が積層されており、タッチパネル１３１によって、撮影者の各種操作を受け付けることができる。
【００２５】
図２の例では、LCDパネル２１の右方には、撮影者による各種指示が行われるときに押下操作されるボタン２２乃至２６が上から順に離間してそれぞれ設けられている。ズームボタン２２は、“−”ズームダウンと“＋”ズームアップとから構成され、撮像範囲のズーム／テレを調整する指示がなされるときに押下操作される。
【００２６】
撮影画像再生ボタン２３は、撮影済みの画像の再生の指示がなされるときに押下操作される。カーソル指示ボタン２４は、上下左右にそれぞれ配置される三角形状の上下左右ボタンと、それら中央に配置される決定ボタンとから構成される。LCDパネル２１に表示されているカーソルの移動指示や、閲覧する画像の切り替え指示がなされる場合に、上下左右ボタンが押下操作される。また、項目の決定指示がなされる場合に、決定ボタンが押下操作される。
【００２７】
メニューボタン２５は、メニュー画面のLCDパネル２１への表示指示がなされる場合に押下操作される。動画RECボタン２６は、動画像撮影の開始又は終了の指示がなされる場合に押下操作される。
【００２８】
図３に示されるように、デジタルカメラ１の本体１１の左側面には、バッテリ挿入口３１、画像記録用メモリカード挿入口３２、及びUSB(Universal Serial Bus)端子口３３が設けられている。バッテリ挿入口３１には、バッテリ、例えばリチウムイオン充電池が挿入される。画像記録用メモリカード挿入口３２には、画像記録用のメモリカードが挿入される。USB端子口３３は、USBケーブルの端子の接続口、すなわち外部接続端子口である。
【００２９】
これらのバッテリ挿入口３１、画像記録用メモリカード挿入口３２、およびUSB端子口３３は、図４に示されるような、左側面のほぼ全面を覆うサイズの蓋部材である保護カバー１１Ａにより、通常は外部から見えないようになっている。例えば、バッテリやメモリカードを入れ替えたり、パーソナルコンピュータなどにUSBケーブルを用いてデジタルカメラ１を接続するときなどに、保護カバー１１Ａが開けられてバッテリ挿入口３１、画像記録用メモリカード挿入口３２、およびUSB端子口３３が外部から見える状態になる。
【００３０】
[動画像に対する画像処理の例]
このような外観構成のデジタルカメラ１は、動画像の撮像中に、動画像に対して所定の効果を施す画像処理を実行することができる。このような効果の種類や度合は、ユーザによるタッチパネルに対する簡易な操作のみで設定が可能になっている。そこで以下、動画像の撮像中に、動画像に対して効果を施すまでに必要な操作及び処理の概略について、図５乃至図８を参照して説明する。
【００３１】
図５は、動画像の撮像中に効果の種類及び度合を指示する操作を受け付けるためのGUI(Graphic User Interface)画面の一例を示す図である。
【００３２】
電源切り替えボタン１３が押下操作されて電源がオン状態になると、デジタルカメラ１が撮影モードで起動し、モニタリング画面５１がLCDパネル２１に表示される。モニタリング画面５１には、デジタルカメラ１が現在撮像している様子を示す動画像がリアルタイムに表示される。モニタリング画面５１に動画像が表示されている状態で動画RECボタン２６が押下されると、動画像の記録が開始される。
【００３３】
また、モニタリング画面５１上には、動画像に対して施す効果のパラメータがマッピングされる。パラメータのマッピングの手法は特に限定されないが、図５の例では、モニタリング画面５１上に横軸ＬＸと縦軸ＬＹが配置され、横軸ＬＸと縦軸ＬＹのそれぞれに対して、所定の効果が１種類ずつ割り当てられ、割り当てられた効果のパラメータがそれぞれマッピングされている。
【００３４】
具体的には、図５の例では、横軸ＬＸにはレトロ効果のパラメータがマッピングされ、縦軸ＬＹにはシームレスタイル効果のパラメータがマッピングされている。レトロ効果とは、動画像のコントラストを弱めて淡い色調にする効果である。シームレスタイル効果とは、動画像の境界を曖昧にしてタイル状に敷き詰める効果である。
【００３５】
レトロ効果のパラメータは、横軸ＬＸの右方向にいくほど、レトロ効果の度合いが高まるようにマッピングされている。また、シームレスタイル効果のパラメータは、縦軸ＬＹの位置によってタイルの位置が決まるようにマッピングされている。
【００３６】
ユーザが、モニタリング画面５１（正確には後述の図９のタッチパネル１３１）上の所定の位置を接触すると、モニタリング画面５１に表示されている動画像に対して、所定の位置に対応する度合いのパラメータに基づいた効果が付されるように画像処理が施される。
【００３７】
具体的には、ユーザの接触位置を示す座標として、横軸ＬＸと縦軸ＬＹとのそれぞれの座標が検出される。そこで、横軸ＬＸに割り当てられた効果、図５の例ではレトロ効果のパラメータが、ユーザの接触位置を示す横軸ＬＸの座標に基づいて決定される。また、縦軸ＬＹに割り当てられた効果、図５の例ではシームレスタイル効果のパラメータが、ユーザの接触位置を示す縦軸ＬＹの座標に基づいて決定される。そして、モニタリング画面５１に表示されている動画像に対して、それぞれ決定されたパラメータに基づいた２つの効果がそれぞれ付されるように画像処理が施される。図５の例では、動画像に対して、レトロ効果とシームレスタイル効果がそれぞれ付されるように画像処理が施される。
【００３８】
例えば、ユーザが、図５のモニタリング画面５１上の位置Ｐ１を接触したとする。この場合、図６に示される画像処理が施される。
【００３９】
図６は、動画像に２つの効果を併せて施す場合の画像処理の結果の例を示す図である。
【００４０】
ユーザが、モニタリング画面５１上の位置Ｐ１を接触すると、接触位置Ｐ１の座標（Ｘ１，Ｙ１）が検出される。
【００４１】
次に、横軸ＬＸに割り当てられた効果、すなわち本例ではレトロ効果については、接触位置Ｐ１の座標（Ｘ１，Ｙ１）のうち横軸ＬＸの座標Ｘ１にマッピングされたパラメータが決定される。また、縦軸ＬＹに割り当てられた効果、すなわち本例ではシームレスタイル効果については、接触位置Ｐ１の座標（Ｘ１，Ｙ１）のうち縦軸ＬＹの座標Ｙ１にマッピングされたパラメータが決定される。
【００４２】
次に、座標Ｘ１に基づいて決定されたパラメータにより示される度合いで、レトロ効果が動画像に付される。すると、図６の左側の図に示されるような、レトロ効果が付された動画像６１が得られる。
【００４３】
また、座標Ｙ１に基づいて決定されたパラメータにより示される度合いで、シームレスタイル効果が動画像に付される。すると、図６の中央の図に示されるような、シームレスタイル効果が付された動画像６２が得られる。
【００４４】
そして、レトロ効果が付された動画像６１と、シームレスタイル効果が付された動画像６２とが合成されて、図６の右側の図に示されるような、レトロ効果及びシームレスタイル効果が付された動画像６３が得られる。
【００４５】
次に、図５とは異なる効果のパラメータが横軸ＬＸと縦軸ＬＹにマッピングされた例について説明する。
【００４６】
図７は、動画像の撮像中に効果の種類及び度合を指示する操作を受け付けるためのGUI用の画面の他の例を示す図である。
【００４７】
図７の例では、横軸ＬＸにはポスタリゼーション効果のパラメータがマッピングされ、縦軸ＬＹには色相変更効果のパラメータがマッピングされている。ポスタリゼーション効果とは、動画像の階調数を変更する効果である。色相変更効果とは、動画像の色相を変更する効果である。
【００４８】
ポスタリゼーション効果のパラメータは、横軸ＬＸの右方向にいくほど、ポスタリゼーション効果の度合いが高まるようにマッピングされている。また、色相変更効果のパラメータは、縦軸ＬＹの位置によって色相の値が決まるようにマッピングされている。
【００４９】
ユーザが、図５のモニタリング画面５１上の位置Ｐ２を接触したとする。この場合、図８に示される画像処理が施される。
【００５０】
図８は、動画像に２つの効果を併せて施す場合の画像処理の結果の他の例を示す図である。
【００５１】
ユーザが、モニタリング画面５１上の位置Ｐ２を接触すると、接触位置Ｐ２の座標（Ｘ２，Ｙ２）が検出される。
【００５２】
次に、横軸ＬＸに割り当てられた効果、すなわち本例ではポスタリゼーション効果については、接触位置Ｐ２の座標（Ｘ２，Ｙ２）のうち横軸ＬＸの座標Ｘ２にマッピングされたパラメータが決定される。また、縦軸ＬＹに割り当てられた効果、すなわち本例では色相変更効果については、接触位置Ｐ２の座標（Ｘ２，Ｙ２）のうち縦軸ＬＹの座標Ｙ２にマッピングされたパラメータが決定される。
【００５３】
次に、座標Ｘ２に基づいて決定されたパラメータにより示される度合いで、ポスタリゼーション効果が動画像に付される。すると、図８の左側の図に示されるような、ポスタリゼーション効果が付された動画像７１が得られる。
【００５４】
また、座標Ｙ２に基づいて決定されたパラメータにより示される度合いで、色相変更効果が動画像に付される。すると、図８の中央の図に示されるような、色相変更効果が付された動画像７２が得られる。なお、図８では便宜上、動画像７２はモノクロで表現されているが、実際には、座標Ｙ２に基づいて決定されたパラメータにより示される色相で表現される。
【００５５】
そして、ポスタリゼーション効果が付された動画像７１と、色相変更効果が付された動画像７２とが合成されて、図８の右側の図に示されるような、ポスタリゼーション効果及び色相変更効果が付された動画像７３が得られる。
【００５６】
[デジタルカメラ１のハードウエア構成例]
図９はデジタルカメラ１のハードウエアの構成例を示すブロック図である。
【００５７】
撮像部１０１は、画像を撮像するために、撮像レンズ１５、撮像素子１２１、アナログ信号処理部１２２、及びA/D(Analog/Digital)変換部１２３を有している。
【００５８】
撮像レンズ１５は、フォーカスレンズやズームレンズ等の各種レンズで構成される。
【００５９】
撮像素子１２１は、CCD(Charge Coupled Device)やCMOS（Complementary Metal Oxide Semiconductor）型の光電変換素子等から構成される。撮像素子１２１は、撮像レンズ１５から入射された被写体の像を光電変換して画像信号を一定時間蓄積し、蓄積した画像信号をアナログ信号としてアナログ信号処理部１２２に順次供給する。
【００６０】
アナログ信号処理部１２２は、撮像素子１２１からの画像信号に対して、増幅、ガンマ補正、ホワイトバランス調整などの各種アナログ信号処理を施したうえでA/D変換部１２３に出力する。
【００６１】
A/D変換部１２３は、アナログ信号処理部１２２からの画像信号に対してA/D変換し、その結果得られるデジタル信号を画像データとして画像処理部１０２に出力する。
【００６２】
本実施形態では、デジタルカメラ１は、動画像を撮像することができる。動画像は、フィールドやフレームといった複数の単位画像から構成される。即ち、A/D変換部１２３からは、所定の時間間隔毎に、単位画像に対応する画像データが順次出力される。なお、以下、説明の便宜上、単位画像はフレームであるとし、フレームに対応する画像データをフレーム画像データと呼ぶ。また、動画像全体に対応する画像データを動画データと呼ぶ。
【００６３】
画像処理部１０２は、CPU(Central Processing Unit)１０７による制御に従って、A/D変換部１２３からの動画データに対し、ノイズ除去処理等の各種画像処理を、フレーム画像データを単位として施す。また、画像処理部１０２は、A/D変換部１２３から供給されるフレーム画像データに対して、所定の効果のパラメータに基づいた画像処理を施す。さらに、画像処理部１０２は、A/D変換部１２３からフレーム画像データが供給される毎に、例えば、MPEG(Moving Picture Experts Group)方式等の圧縮符号化処理を順次実行し、その都度得られる圧縮フレーム画像データを、制御バス１０５を介してI/O制御部１０３に順次出力する。
【００６４】
I/O制御部１０３は、画像処理部１０２から制御バス１０５を介して順次供給されてくる圧縮フレーム画像データを、本体１１の画像記録用メモリカード挿入口３２に挿入されているメモリカード１０４に順次記録させる。即ち、最終的には、複数の圧縮フレーム画像データから構成される圧縮動画データがメモリカード１０４に記録される。
【００６５】
また、I/O制御部１０３は、ユーザにより動画像の再生が指示された後は、その再生の停止が指示されるまでの間メモリカード１０４に記録されている圧縮動画データをフレーム画像データを単位に読み出し、制御バス１０５上に出力する。制御バス１０５上に出力されたフレーム画像データが、例えば圧縮動画データである場合、画像処理部１０２において伸長復号処理が施されて動画データとなり、映像信号生成処理部１１１に供給される。映像信号生成処理部１１１に供給された動画データに基づいて、メモリカード１０４に記録されていた圧縮動画データに対応する動画像がLCDパネル２１に表示される。また、制御バス１０５上に出力されたデータは、図示せぬ他の装置、例えば他のパーソナルコンピュータなどに転送される。
【００６６】
操作入力部１０６は、本体１１に設けられる各種のボタン等で構成され、ユーザによる操作を検出し、ユーザの操作内容に対応する制御信号をCPU１０７に出力する。
【００６７】
CPU１０７は、フラッシュメモリ１１０に記録されているプログラムを電源起動時にプログラムRAM(Random Access Memory)１０８に展開して実行することにより、デジタルカメラ１を構成する各部を制御し、また、操作入力部１０６からの制御信号にしたがって各種の処理を実行する。CPU１０７は、例えば、後述する図１０の各機能ブロックとして機能して後述する各種処理を実行する他、絞りや撮像レンズ１５のズームの調整、露出時間の制御などの撮影処理や、撮影済みの画像の管理に伴う処理などを実行する。
【００６８】
プログラムRAM１０８は、CPU１０７が実行するプログラムや、CPU１０７がプログラムを実行する上で必要なデータを一時的に記憶する。
【００６９】
画像RAM１０９は、画像データを一時的に記憶し、例えば、撮像部１０１から出力されたフレーム画像データの記録のための圧縮符号化処理や、メモリカード１０４から読み出された圧縮フレーム画像データの表示のための伸張復号処理に用いられる。
【００７０】
フラッシュメモリ１１０は、CPU１０７が実行するプログラムや、デジタルカメラ１に設定された各種のデータを記憶する。フラッシュメモリ１１０は、デジタルカメラ１の電源がオフ状態にされたときも、データを消去せずに保持しておくことができる。
【００７１】
映像信号生成処理部１１１は、表示用のフレーム画像データが入力されると、入力されたフレーム画像データに基づいて、LCDパネル２１に準拠した映像信号を生成し、LCDパネル２１に供給する。すると、表示用のフレーム画像データに対応するフレームがLCDパネル２１に表示される。ここで、表示用のフレーム画像データとしては、メモリカード１０４から読み出されてI/O制御部１０３や画像処理部１０２等を介して映像信号生成処理部１１１に供給されたフレーム画像データや、撮像部１０１から出力されて画像処理部１０２等を介して映像信号生成処理部１１１に供給されたフレーム画像データがある。
【００７２】
LCDパネル２１には、タッチパネル１３１が積層されている。タッチパネル１３１は、ユーザによるタッチ操作がなされた位置の座標を検出し、その検出結果を、制御バス１０５を介してCPU１０７に供給する。ここで、タッチ操作とは、タッチパネル１３１に対するユーザの指の接触又は近接の操作をいう。ただし、以下説明の簡略上、指の接触によるタッチ操作のみについて言及するが、指の近接によるタッチ操作でも以下に説明する処理は同様に実現可能である。
【００７３】
タッチ操作には、なぞり操作やタップ操作が含まれる。なぞり操作とは、ユーザが指をタッチパネル１３１の所定領域に接触させ、その後、指の接触を維持したまま、所定領域を起点として所定方向に所定距離だけ指を移動させる操作をいう。タップ操作とは、タッチパネル１３１の１点を指で短時間触って離す（軽くたたく）操作である。
【００７４】
[CPU１０７の機能構成例]
次に、図１０を参照して、このようなハードウエア構成を有するデジタルカメラ１が実行する処理を実現可能な機能的構成の一例について説明する。
【００７５】
図１０は、図９に示されるデジタルカメラ１のCPU１０７等の機能構成例を示すブロック図である。
【００７６】
CPU１０７においては、撮像制御部１５１、マッピング処理部１５２、位置検出部１５３、パラメータ決定部１５４、及び出力制御部１５５が機能する。撮像制御部１５１、マッピング処理部１５２、位置検出部１５３、パラメータ決定部１５４、及び出力制御部１５５は、CPU１０７により所定のプログラムが実行されることによって実現される。
【００７７】
撮像制御部１５１は、ユーザによる操作入力部１０６またはタッチパネル１３１への操作に基づいて、撮像部１０１の撮像の動作を制御する。即ち、撮像部１０１は、撮像制御部１５１の制御のもと、被写体を撮像し、その結果所定時間毎に得られるフレーム画像データを画像処理部１０２に順次供給する。
【００７８】
マッピング処理部１５２は、電源切り替えボタン１３が押下操作されて電源がオン状態になりデジタルカメラ１が撮影モードで起動されると、動画像に対して施す効果のパラメータをフレームにマッピングするマッピング処理を行う。
【００７９】
このような所定の効果がマッピングされたフレームを表示するタッチパネル１３１に対してユーザのタッチ操作がなされると、位置検出部１５３は、タッチパネル１３１に対するユーザのタッチ操作がなされた位置の座標を検出し、その検出結果をパラメータ決定部１５４に供給する。
【００８０】
この場合、位置検出部１５３の検出結果は、タッチパネル１３１により検出された座標そのものを採用してもよいが、本実施形態では、図５に示す横軸ＬＸと縦軸ＬＹとで構築される２次元平面、例えば横軸ＬＸと縦軸ＬＹの交点を原点とする２次元平面の座標が採用されるとする。即ち、本実施形態では、ユーザのタッチ操作がなされた位置を示す横軸ＬＸと縦軸ＬＹとのそれぞれの座標が検出され、パラメータ決定部１５４に供給される。
【００８１】
パラメータ決定部１５４は、マッピング処理部１５２による処理結果と位置検出部１５３による検出結果に基づいて、ユーザのタッチ操作がなされた所定の位置に対応する度合いのパラメータを決定する。具体的には、図５や図６を参照して上述したように、横軸ＬＸと縦軸ＬＹとのそれぞれに割り当てられた効果のパラメータが、ユーザのタッチ操作がなされた位置を示す横軸ＬＸと縦軸ＬＹとのそれぞれの座標に基づいて決定される。パラメータ決定部１５４は、決定したパラメータを画像処理部１０２に供給する。
【００８２】
画像処理部１０２は、撮像部１０１から供給されたフレーム画像データに対して、パラメータ決定部１５４から供給されたパラメータに基づいた２つの効果がそれぞれ付されるように画像処理を施す。
【００８３】
出力制御部１５５は、画像処理部１０２から出力されたフレーム画像データを、フレームとしてLCDパネル２１に表示出力させるように映像信号生成処理部１１１を制御する。また、出力制御部１５５は、画像処理部１０２から出力された圧縮フレーム画像データを、メモリカード１０４に記録させるようにI/O制御部１０３を制御する。
【００８４】
このように、現在撮像中の動画像であって効果が付された動画像がLCDパネル２１に表示されながら、動画像に対応する圧縮動画データがメモリカード１０４に記録されていく。
【００８５】
[動画像撮影処理]
以上のような機能的構成を有するデジタルカメラ１が実行する処理のうち、撮像中の動画像に対して所定の効果を施す動画像撮影処理の流れについて説明する。
【００８６】
図１１は、動画像撮影処理の一例を説明するフローチャートである。
【００８７】
電源切り替えボタン１３が押下操作されて電源がオン状態になると、デジタルカメラ１が撮影モードで起動されて、モニタリング画面（例えば図５のモニタリング画面５１）がLCDパネル２１に表示される。モニタリング画面に動画像が表示されている状態で動画RECボタン２６が押下されると、動画像の記録が開始されると共に、マッピング処理部１５２によりマッピング処理が実行されて、モニタリング画面上には、動画像に対して施す効果のパラメータがマッピングされる。即ち本実施形態では、図５を参照して上述したように、モニタリング画面上に横軸ＬＸと縦軸ＬＹが配置され、横軸ＬＸと縦軸ＬＹのそれぞれに対して、所定の効果が１種類ずつ割り当てられ、割り当てられた効果のパラメータがそれぞれマッピングされる。
【００８８】
このような状態で、図１１の動画像撮影処理は開始され、次のような一連の処理が実行される。
【００８９】
ステップＳ１において、撮像制御部１５１は、録画終了の指示がされたか否かを判定する。ここで、録画終了の指示は特に限定されず、例えば、ユーザによって動画RECボタン２６が押下されたことを録画終了の指示としても、タッチパネル１３１への所定のタッチ操作がされたことを録画終了の指示としてもよい。
【００９０】
録画終了の指示がされていないとステップＳ１において判定された場合、処理はステップＳ２に進む。
【００９１】
ステップＳ２において、位置検出部１５３は、タッチパネル１３１へのユーザの接触位置を検出する。検出された接触位置の座標は、パラメータ決定部１５４に供給される。
【００９２】
ステップＳ３において、パラメータ決定部１５４は、マッピング処理部１５２の処理結果と位置検出部１５３により検出された座標に基づいて、パラメータを決定する。決定されたパラメータは、画像処理部１０２に供給される。
【００９３】
ステップＳ４において、画像処理部１０２は、撮像部１０１から供給されたフレーム画像データに対して、パラメータ決定部１５４により決定されたパラメータに基づいた効果で画像処理を施す。
【００９４】
ステップＳ５において、出力制御部１５５は、ステップＳ４の処理で効果が施されたフレーム画像データに対応する圧縮フレーム画像データをメモリカード１０４に記録させる。
【００９５】
ステップＳ６において、出力制御部１５５は、ステップＳ４の処理で効果が施されたフレーム画像データを、フレームとしてLCDパネル２１に表示させる。
【００９６】
その後、処理はステップＳ１に戻され、録画終了の指示がされるまでの間、ステップＳ１乃至ステップＳ６の処理が繰り返される。
【００９７】
その後、ステップＳ１において録画終了の指示がされたと判定された場合、処理はステップＳ７に進む。
【００９８】
ステップＳ７において、撮像制御部１５１は、動画像撮影を終了する。これにより、動画像撮影処理は終了する。
【００９９】
このように、ユーザは、動画像の撮影中に、所望の効果を反映させた動画像の撮像から記録までの一連の処理を、タッチパネル１３１に対する簡易な操作で実現することができる。
【０１００】
また、例えば、ユーザが、なぞり操作によりタッチパネル１３１上の接触位置を連続的に変化させた場合、その接触位置の変化に追従して、所定の効果のパラメータが順次変更されていく。この場合、順次変更されていくパラメータに基づいて、各フレーム画像データの各々に対して効果を付す画像処理が順次施されていくので、なぞり操作に呼応するように効果が変化していく動画像がLCDパネル２１に表示される。すなわち、ユーザは、リズムやスピードを変化させる演奏操作により楽器を演奏するのと同様に、タッチ操作のリズムやスピードを変化させることにより、動画像の効果を変化させることができる。このように、本技術によれば、ユーザに対して、軽快で直感的な操作性を提供することができる。
【０１０１】
[パラメータ選択ボタン]
横軸ＬＸと縦軸ＬＹにマッピングされるパラメータの組み合わせは、上述の例に限定されず、ユーザによって任意に設定が可能である。例えば、図１２に示されるようなパラメータ選択ボタンが押下されることにより、任意のパラメータが選択されて設定されてもよい。
【０１０２】
図１２は、パラメータ選択ボタンの例を示す図である。
【０１０３】
電源がオン状態になると、デジタルカメラ１が撮影モードで起動されて、モニタリング画面５１がLCDパネル２１に表示される。この状態で、ユーザが所定の操作を行うと、パラメータ選択ボタン１９１乃至１９４がモニタリング画面５１に表示される。
【０１０４】
パラメータ選択ボタン１９１乃至１９４には、動画像に対して施す効果のパラメータの名称が表示されている。具体的には、パラメータ選択ボタン１９１乃至１９４のそれぞれには、レトロ効果、シームレスタイル効果、ポスタリゼーション効果、色相効果のパラメータの名称が表示されている。
【０１０５】
ユーザは、パラメータ選択ボタン１９１乃至１９４の中から任意のボタンをタッチ操作することにより、横軸ＬＸと縦軸ＬＹにマッピングされるパラメータの組み合わせを自由に選択して設定することができる。
【０１０６】
なお、横軸ＬＸと縦軸ＬＹにマッピングされるパラメータの種類は、上述の例に限定されず、動画像に対して所定の効果を施すことができる効果のパラメータであればよい。
【０１０７】
また、パラメータのマッピングの手法は特に限定されず、例えば、モニタリング画面５１上の座標をいくつかの部分領域に分けて、それぞれの部分領域に異なる効果のパラメータをマッピングさせてもよい。
【０１０８】
また、上述の例では、タッチパネル１３１に対するユーザのタッチ操作の位置に基づいて、所定の効果のパラメータが決定された。しかしながら、例えば、ユーザの指のタッチパネル１３１への接触時間や、接触の圧力に基づいて、所定の効果のパラメータが決定されてもよい。
【０１０９】
また、所定の効果のパラメータは、画像に対してのみならず、音声に対して所定の効果を施してもよい。
【０１１０】
[本技術のプログラムへの適用]
上述した一連の処理は、ハードウエアにより実行することもできるし、ソフトウエアにより実行することもできる。一連の処理をソフトウエアにより実行する場合には、そのソフトウエアを構成するプログラムが、コンピュータにインストールされる。ここで、コンピュータには、専用のハードウエアに組み込まれているコンピュータや、各種のプログラムをインストールすることで、各種の機能を実行することが可能な、例えば汎用のパーソナルコンピュータなどが含まれる。
【０１１１】
図１３は、上述した一連の処理をプログラムにより実行するコンピュータのハードウエアの構成例を示すブロック図である。
【０１１２】
コンピュータにおいて、CPU（Central Processing Unit）２０１，ROM（Read Only Memory）２０２，RAM（Random Access Memory）２０３は、バス２０４により相互に接続されている。
【０１１３】
バス２０４には、さらに、入出力インタフェース２０５が接続されている。入出力インタフェース２０５には、入力部２０６、出力部２０７、記憶部２０８、通信部２０９、及びドライブ２１０が接続されている。
【０１１４】
入力部２０６は、キーボード、マウス、マイクロフォンなどよりなる。出力部２０７は、ディスプレイ、スピーカなどよりなる。記憶部２０８は、ハードディスクや不揮発性のメモリなどよりなる。通信部２０９は、ネットワークインタフェースなどよりなる。ドライブ２１０は、磁気ディスク、光ディスク、光磁気ディスク、又は半導体メモリなどのリムーバブルメディア２１１を駆動する。
【０１１５】
以上のように構成されるコンピュータでは、CPU２０１が、例えば、記憶部２０８に記憶されているプログラムを、入出力インタフェース２０５及びバス２０４を介して、RAM２０３にロードして実行することにより、上述した一連の処理が行われる。
【０１１６】
コンピュータ（CPU２０１）が実行するプログラムは、例えば、パッケージメディア等としてのリムーバブルメディア２１１に記録して提供することができる。また、プログラムは、ローカルエリアネットワーク、インターネット、デジタル衛星放送といった、有線または無線の伝送媒体を介して提供することができる。
【０１１７】
コンピュータでは、プログラムは、リムーバブルメディア２１１をドライブ２１０に装着することにより、入出力インタフェース２０５を介して、記憶部２０８にインストールすることができる。また、プログラムは、有線または無線の伝送媒体を介して、通信部２０９で受信し、記憶部２０８にインストールすることができる。その他、プログラムは、ROM２０２や記憶部２０８に、あらかじめインストールしておくことができる。
【０１１８】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１１９】
本技術の実施の形態は、上述した実施の形態に限定されるものではなく、本技術の要旨を逸脱しない範囲において種々の変更が可能である。
【０１２０】
例えば、本技術は、１つの機能をネットワークを介して複数の装置で分担、共同して処理するクラウドコンピューティングの構成をとることができる。
【０１２１】
また、上述のフローチャートで説明した各ステップは、１つの装置で実行する他、複数の装置で分担して実行することができる。
【０１２２】
さらに、１つのステップに複数の処理が含まれる場合には、その１つのステップに含まれる複数の処理は、１つの装置で実行する他、複数の装置で分担して実行することができる。
【０１２３】
なお、本技術は、以下のような構成もとることができる。
（１）
画像を撮像する撮像部と、
前記撮像部による撮像中に指定された平面上の位置に応じたパラメータに基づいて、前記撮像部により撮像された画像に画像処理を施す画像処理部と
を備える撮像装置。
（２）
前記撮像部により撮像中の画像を表示する表示部と、
前記表示部に重ねて設けられ、前記平面上の位置を検出する検出部と
をさらに備える
前記（１）に記載の撮像装置。
（３）
前記表示部は、前記画像処理が施された画像を前記撮像部による撮像中に表示する
前記（１）または（２）に記載の撮像装置。
（４）
前記画像処理部は、前記平面上の位置が前記撮像部による撮像中に移動した場合、移動後の前記平面上の位置に応じたパラメータに基づいて前記画像処理を施す
前記（１）乃至（３）のいずれかに記載の撮像装置。
（５）
前記画像処理部により前記画像処理が施された画像を記録する記録部
をさらに備える
前記（１）乃至（４）のいずれかに記載の撮像装置。
（６）
前記表示部は、前記パラメータの種類を選択可能なボタンを表示する
前記（１）乃至（５）のいずれかに記載の撮像装置。
【０１２４】
本技術は、撮影機能を有する機器に適用することができる。
【符号の説明】
【０１２５】
１  デジタルカメラ，  ２１  LCDパネル，  １０１  撮像部，  １０２  画像処理部，  １０４  メモリカード，  １０７  CPU，  １３１  タッチパネル，  １５１  撮像制御部，  １５２  マッピング処理部，  １５３  位置検出部，  １５４  パラメータ決定部，  １５５  出力制御部
【図１】
2013243434.tif 000003
【図２】
2013243434.tif 000004
【図３】
2013243434.tif 000005
【図４】
2013243434.tif 000006
【図５】
2013243434.tif 000007
【図６】
2013243434.tif 000008
【図７】
2013243434.tif 000009
【図８】
2013243434.tif 000010
【図９】
2013243434.tif 000011
【図１０】
2013243434.tif 000012
【図１１】
2013243434.tif 000013
【図１２】
2013243434.tif 000014
【図１３】
2013243434.tif 000015